(57)【要約】      （修正有）【課題】エレベータ状態情報を確実に表示することができるエレベータ監視装置を得る。【解決手段】エレベータに異常が発生したか否かを判定する判定装置２１１と、エレベータ制御盤１３からエレベータ状態情報が継続して入力され、入力されたエレベータ状態情報を記憶する記憶装置２１２と、エレベータに異常が発生したと判定装置２１１が判定する場合に、エレベータに異常が発生したと判定装置２１１が判定する前に記憶装置２１２に記憶されたエレベータ状態情報の中で最新のエレベータ状態情報を出力する出力装置２１３と、乗場に設けられ、出力装置２１３から出力されたエレベータ状態情報を表示する乗場インジケータとを備えている。【選択図】図３
2013216460.tif 000002
【特許請求の範囲】
【請求項１】
エレベータを監視するエレベータ監視装置であって、
前記エレベータに異常が発生したか否かを判定する判定装置と、
エレベータ制御盤から前記エレベータの状態を示す情報であるエレベータ状態情報が継続して入力され、入力された前記エレベータ状態情報を記憶する記憶装置と、
前記エレベータに異常が発生したと前記判定装置が判定する場合に、前記エレベータに異常が発生したと前記判定装置が判定する前に前記記憶装置に記憶された前記エレベータ状態情報の中で最新の前記エレベータ状態情報を出力する出力装置と
を備えたことを特徴とするエレベータ監視装置。
【請求項２】
前記判定装置、前記記憶装置および前記出力装置に電力を供給するバッテリをさらに備えたことを特徴とする請求項１に記載のエレベータ監視装置。
【請求項３】
乗場に設けられ、前記出力装置から出力された前記エレベータ状態情報を表示する乗場表示装置をさらに備えたことを特徴とする請求項１または請求項２に記載のエレベータ監視装置。
【請求項４】
保守点検の際に用いられる携帯型端末装置と、
前記携帯型端末装置が乗場に位置する場合に、前記携帯型端末装置との間で無線通信を行う無線通信装置と
をさらに備え、
前記無線通信装置は、前記出力装置から出力された前記エレベータ状態情報を前記携帯端末装置に送信し、
前記携帯型端末装置は、前記無線通信装置から送信された前記エレベータ状態情報を受信し、受信した前記エレベータ状態情報を表示することを特徴とする請求項１ないし請求項３の何れか１項に記載のエレベータ監視装置。
【請求項５】
エレベータに異常が発生したか否かを判定する判定装置と、エレベータ制御盤から前記エレベータの状態を示す情報であるエレベータ状態情報が入力され、入力された前記エレベータ状態情報を記憶する記憶装置と、前記記憶装置に記憶された前記エレベータ状態情報を出力する出力装置とを備えたエレベータ監視装置を用いたエレベータ監視方法であって、
前記エレベータ状態情報が前記記憶装置に継続して入力され、入力された前記エレベータ状態情報を前記記憶装置が記憶する記憶工程と、
前記エレベータに異常が発生したか否かを前記判定装置が判定する判定工程と、
前記判定工程で前記エレベータに異常が発生したと判定された後に、前記エレベータに異常が発生したと前記判定装置が判定する前に前記記憶装置に記憶された前記エレベータ状態情報の中で最新の前記エレベータ状態情報を前記出力装置が出力する出力工程と
を備えたことを特徴とするエレベータ監視方法。
【発明の詳細な説明】
【技術分野】
【０００１】
この発明は、エレベータを監視するエレベータ監視装置およびエレベータ監視方法に関する。
【背景技術】
【０００２】
従来、エレベータに異常が発生したか否かを判定する判定装置と、エレベータ制御盤からエレベータの状態を示す情報であるエレベータ状態情報を取得するエレベータ状態情報取得装置と、乗場に設けられ、エレベータに異常が発生したと判定装置が判定する場合に、エレベータ状態情報取得装置が取得するエレベータ状態情報を出力する出力装置と、出力装置から出力されたエレベータ状態情報を表示する表示装置とを備えたエレベータ監視装置が知られている（例えば、特許文献１参照）。
【先行技術文献】
【特許文献】
【０００３】
【特許文献１】特開２００４−３３８８６０号公報
【発明の概要】
【発明が解決しようとする課題】
【０００４】
しかしながら、出力装置は、エレベータに異常が発生したと判定装置が判定した後にエレベータ状態情報取得装置が取得したエレベータ状態情報を出力するので、例えば、停電の発生によるエレベータの故障の発生により、エレベータ制御盤がエレベータ状態情報を出力することができず、エレベータ状態情報取得装置がエレベータ状態情報を取得することができない場合には、出力装置は、エレベータ状態情報を出力することができないという問題点があった。
【０００５】
この発明は、エレベータ状態情報を確実に出力することができるエレベータ監視装置およびエレベータ監視方法を提供するものである。
【課題を解決するための手段】
【０００６】
この発明に係るエレベータ監視装置は、エレベータを監視するエレベータ監視装置であって、前記エレベータに異常が発生したか否かを判定する判定装置と、エレベータ制御盤から前記エレベータの状態を示す情報であるエレベータ状態情報が継続して入力され、入力された前記エレベータ状態情報を記憶する記憶装置と、前記エレベータに異常が発生したと前記判定装置が判定する場合に、前記エレベータに異常が発生したと前記判定装置が判定する前に前記記憶装置に記憶された前記エレベータ状態情報の中で最新の前記エレベータ状態情報を出力する出力装置とを備えている。
【０００７】
この発明に係るエレベータ監視方法は、エレベータに異常が発生したか否かを判定する判定装置と、エレベータ制御盤から前記エレベータの状態を示す情報であるエレベータ状態情報が入力され、入力された前記エレベータ状態情報を記憶する記憶装置と、前記記憶装置に記憶された前記エレベータ状態情報を出力する出力装置とを備えたエレベータ監視装置を用いたエレベータ監視方法であって、前記エレベータ状態情報が前記記憶装置に継続して入力され、入力された前記エレベータ状態情報を前記記憶装置が記憶する記憶工程と、前記エレベータに異常が発生したか否かを前記判定装置が判定する判定工程と、前記判定工程で前記エレベータに異常が発生したと判定された後に、前記エレベータに異常が発生したと前記判定装置が判定する前に前記記憶装置に記憶された前記エレベータ状態情報の中で最新の前記エレベータ状態情報を前記出力装置が出力する出力工程とを備えている。
【発明の効果】
【０００８】
この発明に係るエレベータ監視装置によれば、エレベータに異常が発生したか否かを判定する判定装置と、エレベータ制御盤からエレベータの状態を示す情報であるエレベータ状態情報が継続して入力され、入力されたエレベータ状態情報を記憶する記憶装置と、エレベータに異常が発生したと判定装置が判定する場合に、エレベータに異常が発生したと判定装置が判定する前に記憶装置に記憶されたエレベータ状態情報の中で最新のエレベータ状態情報を出力する出力装置とを備えているので、例えば、停電の発生によるエレベータの故障の発生により、エレベータ制御盤からエレベータ状態情報が出力されない場合であっても、出力装置はエレベータ状態情報を確実に出力することができる。
【０００９】
この発明に係るエレベータ監視方法によれば、エレベータ状態情報が記憶装置に継続して入力され、入力されたエレベータ状態情報を記憶装置が記憶する記憶工程と、エレベータに異常が発生したか否かを判定装置が判定する判定工程と、判定工程でエレベータに異常が発生したと判定された後に、エレベータに異常が発生したと判定装置が判定する前に記憶装置に記憶されたエレベータ状態情報の中で最新のエレベータ状態情報を出力装置が出力する出力工程とを備えているので、例えば、停電の発生によるエレベータの故障の発生により、エレベータ制御盤からエレベータ状態情報が出力されない場合であっても、出力装置はエレベータ状態情報を確実に出力することができる。
【図面の簡単な説明】
【００１０】
【図１】この発明の実施の形態１に係るエレベータシステムを示す構成図である。
【図２】図１のかごを示すブロック図である。
【図３】図１の通報装置を示すブロック図である。
【図４】図１のエレベータ監視装置の動作を示すフローチャートである。
【発明を実施するための形態】
【００１１】
実施の形態１．
図１はこの発明の実施の形態１に係るエレベータシステムを示す構成図である。図において、エレベータシステムは、エレベータ１と、エレベータ１を監視するエレベータ監視装置２と、保守会社に設けられ、エレベータ監視装置２から通報を受ける管理装置（外部）３とを備えている。
【００１２】
エレベータ１は、かご１１と、かご１１に接続されたロープ（図示せず）を移動させることによりかご１１を昇降させる巻上機１２と、かご１１および巻上機１２を制御するエレベータ制御盤１３と、各階の乗場に設けられた乗場釦１４と、各階の乗場に設けられた乗場インジケータ１５と、乗場釦１４および乗場インジケータ１５のそれぞれと電気的に接続された乗場インジケータ制御基盤１６とを有している。
【００１３】
エレベータ制御盤１３は、乗場インジケータ１５と電気的に接続されている。エレベータ制御盤１３は、乗場釦１４が操作されることにより、操作された乗場釦１４に対応する乗場呼び登録を行う。
【００１４】
基準階（例えば、１階）の乗場に設けられた乗場釦１４は、特殊操作がされた場合、この例では、予め設定された時間だけ長押しされた場合に、特殊操作がされたことを示す情報である特殊操作情報を出力する。乗場釦１４から出力された特殊操作情報は、乗場インジケータ制御基盤１６に入力されるようになっている。
【００１５】
図２は図１のかご１１を示すブロック図である。図において、かご１１は、かご１１内の重量を測定する重量測定装置１１１と、かご１１内に設けられたかご操作盤１１２とを有している。重量測定装置１１１は、重量測定装置１１１が測定したかご１１内の重量を示す情報である重量情報をエレベータ制御盤１３に送信する。かご操作盤１１２は、各階に対応する行先階釦を含んでいる。エレベータ制御盤１３は、かご操作盤１１２が操作されることにより、操作された行先階釦に対応するかご呼び登録を行う。
【００１６】
図１に示すように、エレベータ監視装置２は、エレベータ制御盤１３および乗場インジケータ制御基盤１６のそれぞれに電気的に接続された通報装置２１と、通報装置２１に電力を供給するバッテリ２２と、乗場インジケータ制御基盤１６に電気的に接続された無線ＬＡＮアクセスポイント（無線通信装置）２３と、保守点検を行う際に用いられ、無線ＬＡＮアクセスポイント２３との間で無線通信を行う保守端末装置（携帯型端末装置）２４とを有している。この例では、基準階の乗場に設けられた乗場インジケータ１５は、乗場表示装置として、エレベータ監視装置２に含まれている。
【００１７】
通報装置２１は、エレベータ１に停電が発生した場合に、バッテリ２２から供給された電力を乗場インジケータ制御基盤１６に供給するようになっている。
【００１８】
無線ＬＡＮアクセスポイント２３は、基準階の乗場が通信可能領域として設定されている。したがって、保守端末装置２４は、保守端末装置２４が乗場に位置する場合に、無線ＬＡＮアクセスポイント２３との間で無線通信を行う。保守端末装置２４は、作業者に所持されて、乗場に持ち込まれる。
【００１９】
エレベータ制御盤１３は、エレベータ１に異常が発生した場合、例えば、地震の発生によりエレベータ１が管制運転を行う場合や停電の発生によりエレベータ１が運転を停止する場合に、エレベータ１に異常が発生したことを示すエレベータ異常情報を通報装置２１に送信する。
【００２０】
また、エレベータ制御盤１３は、エレベータ１の状態を示す情報であるエレベータ状態情報、例えば、かご呼び登録の情報、かご１１内の重量情報、かご１１の走行の有無を示す情報、戸開の有無を示す情報を通報装置２１に継続して送信する。エレベータ状態情報には、かご１１の閉じ込め故障が発生しているか否かを判定することができる情報が含まれている。
【００２１】
図３は図１の通報装置２１を示すブロック図である。図において、通報装置２１は、エレベータ１に異常が発生したか否かを判定する判定装置２１１と、エレベータ制御盤１３からエレベータ状態情報が継続して入力され、入力されたエレベータ状態情報を記憶する記憶装置２１２と、エレベータ１に異常が発生したと判定装置２１１が判定する場合に、記憶装置２１２に記憶されたエレベータ状態情報を出力する出力装置２１３とを有している。出力装置２１３から出力されたエレベータ状態情報は、乗場インジケータ制御基盤１６に入力される。また、出力装置２１３は、エレベータ１に異常が発生したと判定装置２１１が判定する場合に、エレベータ１に異常が発生した旨を管理装置３に通報するようになっている。また、出力装置２１３は、エレベータ１に異常が発生した旨を管理装置３に通報した後、エレベータ１に発生した異常が解消した場合、つまりエレベータ１が復旧した場合に、エレベータ１が復旧した旨を管理装置３に通報するようになっている。
【００２２】
判定装置２１１は、エレベータ制御盤１３から送信されたエレベータ異常情報を受信した場合に、エレベータ１に異常が発生したと判定する。また、判定装置２１１は、エレベータ異常情報を受信していない場合に、エレベータ１に異常が発生していないと判定する。つまり、判定装置２１１は、エレベータ異常情報を受信したか否かに基づいて、エレベータ１に異常が発生したか否かを判定する。
【００２３】
記憶装置２１２は、継続して入力されるエレベータ状態情報を一次記憶し、エレベータ１に異常が発生したと判定装置２１１が判定する場合に、エレベータ１に異常が発生したと判定装置２１１が判定する前に一次記憶されたエレベータ状態情報の中で最新のエレベータ状態情報をホールドする。つまり、記憶装置２１２は、継続して入力されるエレベータ状態情報を所定の時間だけ一次記憶し、その所定の時間が経過すると新たに入力されたエレベータ状態情報に上書きされるようになっており、エレベータ１に異常が発生したと判定装置２１１が判定する場合に、一次記憶されたエレベータ状態情報の中で最新のエレベータ状態情報が上書きされないようにホールドする。
【００２４】
出力装置２１３は、記憶装置２１２にホールドされたエレベータ状態情報を出力する。つまり、出力装置２１３は、エレベータ１に異常が発生したと判定装置２１１が判定する場合に、エレベータ１に異常が発生したと判定装置２１１が判定する前に記憶されたエレベータ状態情報の中で最新のエレベータ状態情報を出力する。
【００２５】
次に、エレベータ監視装置２の動作について説明する。この例では、停電が発生することによりエレベータ１が運転を停止する場合のエレベータ監視装置２の動作について説明する。図４は図１のエレベータ監視装置２の動作を示すフローチャートである。図において、まず、記憶装置２１２は、エレベータ制御盤１３からエレベータ状態情報が継続して入力され、入力されたエレベータ状態情報を一次記憶する（記憶工程）（ステップＳ１０１）。その後、判定装置２１１は、エレベータ１に異常が発生した否かを判定する（判定工程）（ステップＳ１０２）。ステップＳ１０２で、エレベータ１に異常が発生していないと判定装置２１１が判定すると、ステップＳ１０１に戻る。
【００２６】
一方、ステップＳ１０２で、エレベータ１に異常が発生したと判定装置２１１が判定すると、記憶装置２１２は、一次記憶したエレベータ状態情報の中で最新のエレベータ状態情報をホールドする（ステップＳ１０３）。
【００２７】
その後、出力装置２１３は、エレベータ１に異常が発生した旨を管理装置３に通報する（通報工程）（ステップＳ１０４）。
【００２８】
その後、バッテリ２２から通報装置２１を経由して乗場インジケータ制御基盤１６に電力が供給される（ステップＳ１０５）。これにより、乗場インジケータ１５および無線ＬＡＮアクセスポイント２３にも電力が供給される。
【００２９】
その後、乗場インジケータ制御基盤１６は、基準階の乗場に設けられた乗場釦１４が特殊操作されたか否かを判定する（ステップＳ１０６）。ステップＳ１０６で、乗場釦１４が特殊操作されたと乗場インジケータ制御基盤１６が判定すると、出力装置２１３がエレベータ状態情報を出力し（出力工程）、乗場インジケータ制御基盤１６は、出力装置２１３から出力されたエレベータ状態情報が入力され、入力されたエレベータ状態情報を乗場インジケータ１５に表示させる（表示工程）（ステップＳ１０７）。
【００３０】
その後、乗場インジケータ制御基盤１６は、無線ＬＡＮアクセスポイント２３に電波を発信させる（ステップＳ１０８）。これにより、保守端末装置２４が乗場に持ち込まれることにより、無線ＬＡＮアクセスポイント２３と保守端末装置２４との間の無線通信が可能となり、無線ＬＡＮアクセスポイント２３から保守端末装置２４にエレベータ状態情報が入力され、保守端末装置２４は、入力されたエレベータ状態情報を表示する（表示工程）。以上により、エレベータ監視装置２の動作が終了する。
【００３１】
一方、ステップＳ１０６で、乗場釦１４が特殊操作されていないと乗場インジケータ制御基盤１６が判定すると、判定装置２１１は、エレベータ１の異常が解消したか否か、つまり、エレベータ１が復旧したか否かを判定する（ステップＳ１０９）。ステップＳ１０９で、エレベータ１が復旧していないと判定装置２１１が判定すると、ステップＳ１０６が繰り返される。一方、ステップＳ１０９で、エレベータ１が復旧したと判定装置２１１が判定すると、記憶装置２１２は、ホールドしたエレベータ状態情報を消去する（ステップＳ１１０）。その後、出力装置２１３は、エレベータ１が復旧した旨を管理装置３に通報し（ステップＳ１１１）、ステップＳ１０１に戻る。
【００３２】
以上説明したように、この発明の実施の形態１に係るエレベータ監視装置２によれば、エレベータ１に異常が発生したか否かを判定する判定装置２１１と、エレベータ制御盤１３からエレベータ状態情報が継続して入力され、入力されたエレベータ状態情報を記憶する記憶装置２１２と、エレベータ１に異常が発生したと判定装置２１１が判定する場合に、エレベータ１に異常が発生したと判定装置２１１が判定する前に記憶装置２１２に記憶されたエレベータ状態情報の中で最新のエレベータ状態情報を出力する出力装置２１３とを備えているので、例えば、停電の発生によるエレベータ１の故障の発生により、エレベータ制御盤１３からエレベータ状態情報が出力されない場合であっても、出力装置２１３はエレベータ状態情報を確実に出力することができる。
【００３３】
また、エレベータ監視装置２は、判定装置２１１、記憶装置２１２および出力装置２１３に電力を供給するバッテリ２２を備えているので、停電が発生した場合であっても、出力装置２１３は、エレベータ状態情報を確実に出力することができる。
【００３４】
また、エレベータ監視装置２は、乗場に設けられ出力装置２１３から出力されたエレベータ状態情報を表示する乗場インジケータ１５を有しているので、保守点検を行う作業者は、乗場インジケータ１５を目視することにより、エレベータ１に異常が発生する直前のエレベータ１の状態を確認することができる。これにより、例えば、大規模地震や広域停電が発生して、複数のエレベータ１に異常が発生し、通報装置２１と管理装置３との間の電話回線などの通信回線が輻輳する場合であっても、作業者は、乗場インジケータ１５を目視することにより、エレベータ１の状態を容易に確認することができ、例えば、閉じ込め故障が発生しているエレベータ１の復旧作業を優先して行うことができる。その結果、効率的にエレベータ１の復旧作業を行うことができる。
【００３５】
また、エレベータ監視装置２は、保守点検の際に用いられる保守端末装置２４と、保守端末装置２４が乗場に位置する場合に、保守端末装置２４との間で無線通信を行う無線ＬＡＮアクセスポイント２３とを備え、無線ＬＡＮアクセスポイント２３は、出力装置２１３から出力されたエレベータ状態情報を保守端末装置２４に送信し、保守端末装置２４は、無線ＬＡＮアクセスポイント２３から送信されたエレベータ状態情報を受信し、受信したエレベータ状態情報を表示するので、保守作業を行う作業者は、保守端末装置２４を所持して乗場にいることにより、エレベータ１の状態を容易に確認することができる。
【００３６】
また、この発明の実施の形態１に係るエレベータ監視方法によれば、エレベータ状態情報が記憶装置２１２に継続して入力され、入力されたエレベータ状態情報を記憶装置２１２が記憶する記憶工程と、エレベータ１に異常が発生したか否かを判定装置２１１が判定する判定工程と、判定工程でエレベータ１に異常が発生したと判定された後に、エレベータ１に異常が発生したと判定装置２１１が判定する前に記憶装置２１２に記憶されたエレベータ状態情報の中で最新のエレベータ状態情報を出力装置２１３が出力する出力工程とを備えているので、例えば、停電の発生によるエレベータ１の故障の発生により、エレベータ制御盤１３からエレベータ状態情報が出力されない場合であっても、出力装置２１３はエレベータ状態情報を確実に出力することができる。
【００３７】
なお、上記実施の形態１では、エレベータ１に異常が発生したと判定装置２１１が判定する場合に、乗場インジケータ１５や保守端末装置２４がエレベータ状態情報を表示する構成について説明したが、エレベータ１に異常が発生したと判定装置２１１が判定する場合であって、さらに、通報装置２１と保守会社の管理装置３との間の通信回線が輻輳する場合にのみ、乗場インジケータ１５や保守端末装置２４がエレベータ状態情報を表示する構成であってもよい。この場合、通報装置２１には、通報装置２１と管理装置３との間の通信回線が輻輳しているか否かを判定する輻輳判定装置が含まれる。
【００３８】
また、上記実施の形態１では、乗場表示装置として、乗場インジケータ１５を例に説明したが、乗場インジケータ１５とは別に乗場表示装置を乗場に設置してもよい。
【符号の説明】
【００３９】
１  エレベータ、２  エレベータ監視装置、３  管理装置（外部）、１１  かご、１２  巻上機、１３  エレベータ制御盤、１４  乗場釦、１５  乗場インジケータ（乗場表示装置）、１６  乗場インジケータ制御基盤、２１  通報装置、２２  バッテリ、２３  無線ＬＡＮアクセスポイント（無線通信装置）、２４  保守端末装置（携帯型端末装置）、１１１  重量測定装置、１１２  かご操作盤、２１１  判定装置、２１２  記憶装置、２１３  出力装置。
【図１】
2013216460.tif 000003
【図２】
2013216460.tif 000004
【図３】
2013216460.tif 000005
【図４】
2013216460.tif 000006